(57)【要約】【課題】色以外によって同一形状のハウジング部とコネクタ部との識別を可能として、差し違いを防止する。【解決手段】ハーネス７８が物理的に届く範囲に同一形状のコネクタユニット７４（７６）が設けられている場合において、同一形状のコネクタユニット７４（７６）間の差別化を図るために、それぞれに異なる刻印８０を付与した。この刻印８０は成形時に付与するため組付け作業工程に影響を及ぼすものではなく、逆に色分けによって差別化することによる成形時の生産性を向上することができる。また、刻印８０は、コネクタ部７４Ａ、７６Ａとハウジング部７４Ｂ、７６Ｂとの接続後であっても目視可能な位置に設けたため、万が一誤接続がされたとしても、検査段階でのチェックが容易であり、誤接続のまま市場に出ることはない。【選択図】        図４
2004167151.tif 000002
【特許請求の範囲】
【請求項１】
少なくとも遊技の進行に必要な情報を電気的に入力或いは出力するための情報入出力機器と、前記情報入出力手段で入力した情報に基づいて遊技の進行に直接影響を与える可動部材を動作させるための駆動源と、遊技に進行状態を少なくとも視覚、聴覚を介して遊技者へ報知する報知機器と、前記情報入出力機器、前記駆動源、前記報知機器を制御するための複数の制御基板と、で構成された遊技機において、
前記複数の制御基板間、特定の制御基板と前記情報入出力機器、前記駆動源、前記報知機器のそれぞれとの間、を電気的に接続するためのハウジング部とコネクタ部とで構成されるコネクタユニットであって、
同一形状の前記ハウジング部及び前記コネクタ部に対して、１：１に対応する刻印を成形時に付与すると共に、少なくとも物理的に配線が届く範囲内の同一形状のハウジング部及びコネクタ部に対して、異なる刻印が付与されたことを特徴とする遊技機用コネクタユニット。
【請求項２】
前記刻印が、前記ハウジング部とコネクタ部とが接続された状態で目視可能な位置に設けられていることを特徴とする請求項１記載の遊技機用コネクタユニット。
【請求項３】
前記同一の形状の前記ハウジング部及びコネクタ部に対して、色分けし、前記刻印による差別と共に色による差別化を併用したことを特徴とする請求項１又は請求項２記載の遊技機用コネクタユニット。
【発明の詳細な説明】
【０００１】
【発明の属する技術分野】
本発明は、遊技機に用いられ、複数の制御基板間、特定の制御基板と情報入出力機器、駆動源、報知機器のそれぞれとの間、を電気的に接続するためのハウジング部とコネクタ部とで構成されるコネクタユニットに関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
パチンコ機には、上記始動入賞口や大入賞口等にパチンコ球が入賞したことを検出する入賞センサが設けられると共に、抽選の結果を報知するための報知機器が必要であり、さらに、遊技盤上で動作する可動部材を動作させるための駆動源、遊技者の遊技意欲を増すための電飾機器等が多数設けられている。
【０００４】
これらの電気機器は、遊技盤の裏面側に配設された複数の制御基板から配線されているため、制御基板には、複数のコネクタユニットと一方（ハウジング部）が配列されている（特許文献１参照）。
【０００５】
なお、上記では、パチンコ機を例にとって説明したが、パチスロ機等、他の遊技機においても、年々電気機器は増加の一途をたどっており、制御基板上のコネクタユニットもこれに比例して増加している。
【０００６】
この結果、同一形状（同数のピン）のコネクタユニットが隣接しあって配設されることも少なくないため、組付け作業時の差し違いを防止するため、従来では、コネクタユニットの色を変えて、差別化を図っていた。
【０００７】
なお、特許文献２では、形状の異なるコネクタを適用することで、差し違い等を防止することが提案されている。
【０００８】
【特許文献１】
特開平１０−２７７２１４号公報
【特許文献２】
特開２００１−８７５１９公報
【０００９】
【発明が解決しようとする課題】
しかしながら、色を変えるためには、色の異なる素材を変更しなければならず、成形作業が煩雑となると共に、色による識別にも限度があるため、同一形状のコネクタユニットを接近して配置せざるを得ず、差し違いを確実に防止することができない。
【００１０】
また、形状が異なるコネクタを用いることは差し違い防止に有効ではあるが、多数のコネクタユニットが隣接する場合、全てを異なる成形型で成形したコネクタユニットを適用しなければならず、大量生産に適さず、作業効率の低下、コストアップを招くことになる。
【００１１】
本発明は上記事実を考慮し、色以外によって同一形状のハウジング部とコネクタ部との識別を可能として、差し違いを防止することができるコネクタユニットを得ることが目的である。
【００１２】
【課題を解決するための手段】
請求項１に記載の発明は、少なくとも遊技の進行に必要な情報を電気的に入手するための情報入出力機器と、前記情報入出力手段で入力した情報に基づいて遊技の進行に直接影響を与える可動部材を動作させるための駆動源と、遊技に進行状態を少なくとも視覚、聴覚を介して遊技者へ報知する報知機器と、前記情報入出力機器、前記駆動源、前記報知機器を制御するための複数の制御基板と、で構成された遊技機において、前記複数の制御基板間、特定の制御基板と前記情報入出力機器、前記駆動源、前記報知機器のそれぞれとの間、を電気的に接続するためのハウジング部とコネクタ部とで構成されるコネクタユニットであって、同一形状の前記ハウジング部及び前記コネクタ部に対して、１：１に対応する刻印を成形時に付与すると共に、少なくとも物理的に配線が届く範囲内の同一形状のハウジング部及びコネクタ部に対して、異なる刻印が付与されたことを特徴としている。
【００１３】
請求項１記載の発明によれば、制御基板には、情報入出力機器、駆動源、報知機器等から複数の電気配線が集中する。電気配線の接続には、メンテナンス等の際に着脱が可能なようにコネクタユニットを介して接続される。
【００１４】
このコネクタユニットは、形状が異なれば差し違いは発生することがないが、同一形状の場合、物理的に配線が届く範囲内であれば差し違いが発生する可能性がある。
【００１５】
そこで、予め成形段階でハウジング部とコネクタ部とに１：１に対応する刻印（複数種類）を付与し、物理的に配線が届く範囲内では同一種類の刻印のコネクタユニットを用いないようにする。これにより、作業者は刻印を確認することで組付けの正誤を判断することができる。
【００１６】
請求項２に記載の発明は、前記請求項１に記載の発明において、前記刻印が、前記ハウジング部とコネクタ部とが接続された状態で目視可能な位置に設けられていることを特徴としている。
【００１７】
請求項２に記載の発明によれば、同一形状のコネクタユニットの場合、差し違いの可能性を１００％防止することはできないが、前記刻印をハウジング部とコネクタ部とが接続された状態で目視可能な位置に設けることで、組付け後の正誤の確認が可能となる。
【００１８】
請求項３に記載の発明は、前記請求項１又は請求項２に記載の発明において、前記同一の形状の前記ハウジング部及びコネクタ部に対して、色分けし、前記刻印による差別と共に色による差別化を併用したことを特徴としている。
【００１９】
請求項３に記載の発明によれば、刻印による差別化と、従来から適用していた色分けによる差別化を併用することで、色のみで差別化していた場合に比べて数段の差別化が可能となる。また、色の種類を減らしても差別化する数を増やすことができ、成形時の素材の変更工数が減るため、成形作業効率が向上する。
【００２０】
【発明の実施の形態】
図１には、本発明の一実施の形態に係るパチンコ機１０が示されている。パチンコ機１０は外枠１２を備え、外枠１２の前面には、窓部を有する額縁状の内枠１４の一側部（図１の左辺部）が開閉可能に取付けられている。
【００２１】
内枠１４には、複数の表示等６２、６３やスピーカ６４、６６が設けられている。また、内枠１４の中央には、窓部となっており、この窓部には紙面奥行き方向に所定の間隔で互いに平行とされた一対のガラス１６（二重構造）が装着されたガラス枠２０が設けられている。また、内枠１４の図１の右辺部には施錠装置（シリンダ）２２が設けられている。
【００２２】
ガラス枠２０の下方位置には、球皿部２４を備えた一体皿２６が配設されている。この一体皿の球皿部２４には、貯球タンク（図示省略）と連通し、この貯球タンク内のパチンコ球を球皿部２４へ流出させる連通口２３が設けられている。
【００２３】
一体皿２６は、その一側部（図１の左辺部）が内枠１４に対して開閉可能に取付けられている。一体皿２６の前面には、左側下部に灰皿２８が配置され、右側下部には発射装置１６４（図３参照）から発射する打球の飛距離を調整するための発射ハンドル３０が設けられている。
【００２４】
また内枠１４の窓部には、遊技盤載置台に載せて交換可能とされた遊技盤３２が窓部に対応して設置されている。
【００２５】
図２に示される如く、遊技盤３２は、外バンド３６及び内バンド３８によって囲まれた略円形状の遊技領域４０が形成されている。
【００２６】
遊技領域４０には、図示しない釘や風車の他、センター役物４２、当該センター役物４２に設けられた特別図柄表示装置４３、並びに大入賞口（変動入賞装置）４４等の役物、始動口４６や通過装置４８、入賞装置４９等の遊技部品が取り付けられており、最下位置にアウト口５４が配置されている。
【００２７】
図３には、パチンコ機１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００２８】
なお、主制御基板１５０並びに副制御基板１５１は、管理制御基板２０６を介してパチンコ店側のホールコンピュータ２０８に接続することにより、パチンコ機の稼動状況を管理することも可能となっている。
【００２９】
主制御基板１５０には、遊技に関する基本的なプログラムが記憶されており、この主制御基板１５０からの命令信号に基づいて、その他の副制御基板１５１が独自に実行する。
【００３０】
払出制御基板１５２は、払出賞球装置１６２を制御して、球貸し時の払出し、入賞時の賞球に応じてパチンコ球を払い出すものであり、音声制御基板１５４は、パチンコ機１０に設けられたスピーカ６４、６６からの効果音等の出力を制御する。また、ランプ制御基板１５６は、パチンコ機１０に取り付けられた複数の表示灯６２、６３の点灯・消灯を制御し、発射制御基板１５８は、発射装置１６４を制御して、遊技者によるハンドル３０の操作に応じてパチンコ球を打ち出す。
【００３１】
図柄表示制御基板１６０は、前記特別図柄表示装置４３と接続されており、主制御基板１５０からの命令信号に基づいて、所定の演出効果をもたらす表示を実行する。
【００３２】
前記主制御基板１５０には、始動口４６に設けられた始動入賞センサ１６８、通過装置４８、入賞装置４９に入賞したパチンコ球を検出する入賞センサ１７１、１７２、並びに大入賞口４４に入賞したパチンコ球を検出する大入賞口センサ１７３が接続されている。なお、大入賞口４４には、大入賞口の開閉動作を継続するためのＶゾーンが設けられており、このＶゾーンにもＶゾーンセンサ１７７が設けられており、主制御基板１５０に接続されている。
【００３３】
また、この主制御基板１５０には、始動口４６に設けられた電動チューリップ４７を開閉させるためのソレノイド１７４、大入賞口４４を開閉させるためのソレノイド１７５が接続されている。
【００３４】
また、主制御基板１５０では、特別図柄や普通図柄の当／外抽選がなされ、この抽選結果に基づく特別図柄表示装置４３での表示内容を選択し、図柄表示制御基板１６０へ命令信号を出力する。すなわち、図柄表示制御基板１６０には、複数種の命令信号に基づく異なる表示内容のデータが予め記憶されており、命令信号に基づいてデータが選択されて、起動するようになっている。
【００３５】
なお、図示は省略したが、遊技盤３２に設けられる普通図柄表示装置や保留ランプ等も主制御基板１５０によって制御されるようになっている。
【００３６】
上記の如く、本実施の形態のパチンコ機１０では、複数の制御基板（主制御基板１５０、副制御基板１５１）に対して、遊技盤面等に設けられた電気部品（電気機器）からの配線が張り巡らされ、かつ基板同士も電気的配線によって接続されている。
【００３７】
図４には、副制御基板１５１の一部を構成する基板７０上に複数の配線が接続されている状態が示されており、この基板７０には、３種類のコネクタユニット７２、７４、７６を介して、それぞれ別の基板や電気部品等からの配線が接続されている。
【００３８】
図４（Ａ）に示される如く、基板７０は、略Ｔ字型であり、幅広部には、最も大型のコネクタユニット７２のコネクタ部７２Ａが基板７０上のパターン（図示省略）に予め半田付けされており、リード線の束（以下ハーネス７８という）が一列に配列された状態でハウジング部７２Ｂに取り付けられている。
【００３９】
また、基板７０における幅狭部の両端部には、中型のコネクタユニット７４のコネクタ部７４Ａと、小型のコネクタユニット７６のコネクタ部７６Ａとが混在して取り付けられている。
【００４０】
ハウジング部７４Ｂ、７６Ｂは、コネクタ部７４Ａ、７６Ａに設けられた矩形孔８２（図５、図６参照）に挿入されることで、ハウジング部７４Ｂ、７６Ｂに設けられた複数の端子８４（図５、図６参照）が同時に嵌合され、電気的接続がなされるようになっている。なお、メカ的にはハウジング部７４Ｂ、７６Ｂのフック８６がコネクタ部７４Ａ、７６Ａの矩形孔８８に係合されることで接続が完了する。
【００４１】
ここで、図４（Ａ）の上面視で左端部は、一対の小型のコネクタユニット７６が、１個の中型のコネクタユニット７４を挟むように配列され、右端部は中型のコネクタユニット７４に続いて３個の小型のコネクタユニット７６が配列されている。
【００４２】
すなわち、２個の中型のコネクタユニット７４は、同一形状であるため、それぞれのハウジング部７４Ｂが、それぞれのコネクタ部７４Ａに接続可能であり、５個の小型のコネクタユニット７６も同一形状であるため、それぞれのハウジング部７６Ｂが、それぞれのコネクタ部７６Ａに接続可能である。このため、組付け作業時に差し違いが起こり得ることになる。なお、ハーネス７８が物理的に届かない場合には、差し違いは起こり得ない。
【００４３】
そこで、本実施の形態では、ハーネス７８が物理的に届く範囲内に、同一形状のコネクタユニット（ここでは、中型、小型）が存在する場合に、それぞれに異なる刻印８０を打つことで差別化を図っている（図４（Ｂ）参照）。
【００４４】
刻印８０は、成形時にハウジング部７４Ｂ、７６Ｂ及びコネクタ部７４Ａ、７６Ａのそれぞれに１：１で対応するようになされるが、インサート成形により刻印部分のみを交換することで容易に刻印８０の異なる同一形状のコネクタユニット７４，７６を形成することができる。
【００４５】
図５は、中型のコネクタユニット７４のコネクタ部７４Ａと、ハウジング部７４Ｂとにそれぞれ「Ａ」という刻印８０を設けている。この刻印８０（「Ａ」）は、ハウジング部７４Ｂとコネクタ部７４Ａとが接続状態であっても目視可能な位置に設けることを条件としており、本実施の形態では、それぞれ主面と側面の２箇所に設けている。
【００４６】
一方、図６は、小型のコネクタユニット７６のコネクタ部７６Ａと、ハウジング部７６Ｂとにそれぞれ「１」という刻印８０を設けている。この刻印８０（「１」）は、ハウジング部７６Ｂとコネクタ部７６Ａとが接続状態であっても目視可能な位置に設けることを条件としており、本実施の形態では、それぞれ主面と側面の２箇所に設けている。
【００４７】
本実施の形態では、２種類の中型のコネクタユニット７４が、ハーネス７８が物理的に届く範囲に設けられているため、この２種類の中型のコネクタユニット７４にそれぞれ刻印８０（「Ａ」）と刻印８０（「Ｂ」）とを付与している。
【００４８】
また、５種類の小型のコネクタユニット７６が、ハーネス７８が物理的に届く範囲に設けられているため、この２種類の小型のコネクタユニット７６にそれぞれ刻印８０（「１」）から刻印８０（「５」）を付与している。
【００４９】
以下に本実施の形態の作用を説明する。
【００５０】
（通常の遊技の流れ）
遊技者がハンドル３０を把持し、発射のための操作を行なうと、このハンドル操作量（回転量）に応じた強度で、パチンコ球が打ち出される。
【００５１】
パチンコ球が打ち出されると、外バンド３６及び内バンド３８に案内されて盤面３２の釘や風車等に当接しながら、予測し得ない移動をしながら落下していく。ここで、始動口４６にパチンコ球が入賞すると、乱数カウンタを用いて所定の確率下で大当り抽選が開始される。この大当り抽選の結果、当り／外れが決定すると、それぞれにおいて、予め準備された図柄変動パターン（図柄変動パターン）を選択（乱数カウンタで選択してもよい）し、特別図柄表示装置４３に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００５２】
すなわち、当り時の図柄変動制御が終了すると、予め設定したラウンド数（例えば、１５ラウンド）の大当たり処理が実行される。この大当たり処理中は、大入賞口４４がほとんど開放状態であるため、遊技者によって有利な状態とすることができる。所定ラウンドの大当たり処理が終了すると、通常の遊技に戻る。
【００５３】
上記のように遊技を進行させるためには、複数の電気機器、電気部品が主制御基板１５０や副制御基板１５１によって制御されている。このため、主制御基板１５０や副制御基板１５１には、多数の配線がコネクタユニットを介して接続されている。
【００５４】
図４に示される如く、副制御基板１５１の一部を構成する基板７０においても、合計８個のコネクタユニット（１個の大型のコネクタユニット７２、２個の中型のコネクタユニット７４、５個の小型のコネクタユニット７６）が混在しており、組付けの際に、ハーネス７８が物理的に届く範囲では、同一形状のコネクタユニット間で差し違いが起こり得る。
【００５５】
そこで、本実施の形態では、同一形状のコネクタユニットを差別化するべく、中型のコネクタユニット７４には、それぞれ刻印８０（「Ａ」）と刻印８０（「Ｂ」）をそれぞれ付与し、小型のコネクタユニット７６には、それぞれ刻印８０（「１」）から刻印８０（「５」）を付与した。
【００５６】
刻印８０はコネクタ部７４Ａ、７６Ａ及びハウジング部７４Ｂ、７６Ｂのそれぞれに１：１に対応するように付与されており、かつ、コネクタ部７４Ａ、７６Ａとハウジング部７４Ｂ、７６Ｂとが接続された状態でも目視可能な位置に設けられている。このため、コネクタ部７４Ａ、７６Ａとハウジング部７４Ｂ、７６Ｂとの接続作業前はもちろん、接続作業後であって接続の正誤の確認が可能である。
【００５７】
この刻印８０は、成形時に刻印部分のみ交換可能なインサート成形によってなされており、素材の変更（色変え）に比べて極めて単純な作業であるため、生産性が向上する。
【００５８】
以上説明したように本実施の形態では、ハーネス７８が物理的に届く範囲に同一形状のコネクタユニット７４（７６）が設けられている場合において、同一形状のコネクタユニット７４（７６）間の差別化を図るために、それぞれに異なる刻印８０を付与した。この刻印８０は成形時に付与するため組付け作業工程に影響を及ぼすものではなく、逆に色分けによって差別化することによる成形時の生産性を向上することができる。
【００５９】
また、刻印８０は、コネクタ部７４Ａ、７６Ａとハウジング部７４Ｂ、７６Ｂとの接続後であっても目視可能な位置に設けたため、万が一誤接続がされたとしても、検査段階でのチェックが容易であり、誤接続のまま市場に出ることはない。
【００６０】
なお、本実施の形態では、刻印８０を用いて同一形状のコネクタユニットの差別化を図ったが、これに加え、従来からなされている色分けによる差別化を併用してもよい。但し、色分けと刻印８０による差別化を併用することで、色数×刻印数の識別が可能となり（例えば、２色を用いれば、２倍の識別が可能）、数多くの色を必要とせず、従来に比べて成形時の素材の色変え作業を軽減することができる。
【００６１】
また、本実施の形態では、同一の基板７０上での差し違いについて説明したが、異なる基板間においても、ハーネス７８が物理的に届く範囲内であれば、刻印８０による差別化を図ることが好ましい。
【００６２】
さらに、本実施の形態では、遊技機としてパチンコ機１０を例にとり説明したが、パチスロ機等他の遊技機においても適用可能である。
【００６３】
【発明の効果】
以上説明した如く本発明では、色以外によって同一形状のハウジング部とコネクタ部との識別を可能として、差し違いを防止することができるという優れた効果を有する。
【図面の簡単な説明】
【図１】本実施の形態に係るパチンコ機の正面図である。
【図２】本実施の形態に係る遊技盤の正面図である。
【図３】本実施の形態に係るパチンコ機における制御系のブロック図である。
【図４】（Ａ）は基板上に設けられたコネクタユニットを示す斜視図、（Ｂ）は小型のコネクタの拡大斜視図である。
【図５】本実施の形態の基板に設けられた中型のコネクタユニットを示し、（Ａ）はハウジング部の正面図、（Ｂ）はハウジング部の上面図、（Ｃ）はハウジング部の右側面図、（Ｄ）はコネクタ部の正面図、（Ｅ）はコネクタ部の上面図、（Ｆ）はコネクタ部の右側面図である。
【図６】本実施の形態の基板に設けられた小型のコネクタユニットを示し、（Ａ）はハウジング部の正面図、（Ｂ）はハウジング部の上面図、（Ｃ）はハウジング部の右側面図、（Ｄ）はコネクタ部の正面図、（Ｅ）はコネクタ部の上面図、（Ｆ）はコネクタ部の右側面図である。
【符号の説明】
１０    パチンコ機
３２    遊技盤
４３    特別図柄表示装置（報知機器）
６２、６３    表示灯（入出力機器）
６４、６６    スピーカ（入出力機器）
７０    基板
７２    大型のコネクタユニット
７４    中型のコネクタユニット
７４Ａ    コネクタ部
７４Ｂ    ハウジング部
７６    小型のコネクタユニット
７６Ａ    コネクタ部
７６Ｂ    ハウジング部
７８    ハーネス
８０    刻印
１５０    主制御基板（制御基板）
１５１    副制御基板（制御基板）
１６２    払出賞球装置（駆動源）
１６４    発射装置（駆動源）
１６８    始動入賞センサ（入出力機器）
１７１、１７２    入賞センサ（入出力機器）
１７３    大入賞口センサ（入出力機器）
１７７    Ｖゾーンセンサ（入出力機器）
１７４    ソレノイド（駆動源）
１７５    ソレノイド（駆動源）
【図１】
2004167151.tif 000003
【図２】
2004167151.tif 000004
【図３】
2004167151.tif 000005
【図４】
2004167151.tif 000006
【図５】
2004167151.tif 000007
【図６】
2004167151.tif 000008